【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
複数のアプリケーションを連携させて複数のクライアント間でリアルタイムで情報交換
を行う統合サービスを提供するアプリケーション統合システムであって、
複数のサービスを提供するアプリケーションサーバと、
前記アプリケーションサーバからサービスを受ける複数のクライアントと、
前記クライアントからの統合サービスの開始要求に基づいて、前記アプリケーションサ
ーバがクライアントに提供するサービスと、統合サービスへ参加するクライアントを制御
する管理装置と、を備え、
前記クライアントは、
前記複数のサービスに対応する複数のアプリケーションクライアントと、
これら複数のアプリケーションクライアントの統合サービスへの参加を制御するクライ
アント管理部を有し、
このクライアント管理部は、前記統合サービスで使用するアプリケーションと、統合サ
ービスに参加するクライアントをそれぞれ選択し、前記管理装置に統合サービスの開始要
求を送信し、
前記管理装置は、
前記クライアント管理部からの統合サービスの開始要求に基づいて、前記選択されたア
プリケーションに対応するサービスを提供するアプリケーションサーバに対して、前記選
択された参加クライアントに対して前記サービスを開始するよう指令する統合サービス制
御部と、を有し、
前記アプリケーションサーバは、前記統合サービス制御部からの指令に基づいて、前記
選択された参加クライアントのクライアント管理部に対して、サービスの開始をそれぞれ
通知することを特徴とするアプリケーション統合管理システム。
【請求項２】
前記アプリケーションサーバは、統合サービスに必須のサービスを提供する必須アプリ
ケーションと、統合サービスで選択的に使用可能な任意のサービスを提供する任意アプリ
ケーションとを備え、
前記クライアントは、前記統合サービスに必須のサービスに対応するアプリケーション
クライアントを備えると共に、前記任意のサービスに対応するアプリケーションクライア
ントを選択的に備えたことを特徴とする請求項１に記載のアプリケーション統合管理シス
テム。
【請求項３】
前記統合サービス制御部は、前記クライアントが選択したアプリケーションのうち、必
須アプリケーションまたは任意アプリケーションによるサービスの提供が、全参加クライ
アントで受けることができない場合には、各クライアントへエラーが発生したことをクラ
イアントへ通知するとともに、所定のエラー処理を行うことを特徴とする請求項２に記載
のアプリケーション統合管理システム。
【請求項４】
前記統合サービス制御部は、前記クライアントが選択したアプリケーションのうち、任
意アプリケーションによるサービスの提供が受けられない参加クライアントがある場合に
は、この任意アプリケーションのサービスから当該参加クライアントを除いてサービスを
提供するとともに、各クライアントへエラーが発生したことをクライアントへ通知するこ
とを特徴とする請求項３に記載のアプリケーション統合管理システム。
【請求項５】
前記統合サービス制御部は、前記クライアントが選択したアプリケーションのうち、必
須アプリケーションによるサービスの提供が受けられない参加クライアントがある場合に
は、統合サービスの開始を中止するとともに、クライアントへエラーが生じたことを通知
することを特徴とする請求項３に記載のアプリケーション統合管理システム。
【請求項６】
前記統合サービス制御部は、前記クライアントが選択したアプリケーションのうち、ア
プリケーションサーバでサービスを提供できない任意アプリケーションがある場合には、
この任意アプリケーションを除いて統合サービスを開始するとともに、クライアントへエ
ラーが発生したことをクライアントへ通知することを特徴とする請求項３に記載のアプリ
ケーション統合管理システム。
【請求項７】
前記統合サービス制御部は、前記クライアントが選択したアプリケーションのうち、ア
プリケーションサーバでサービスを提供ができない必須アプリケーションがある場合には
、統合サービスの開始を中止するとともに、クライアントへ統合サービスにエラーが生じ
たことを通知することを特徴とする請求項３に記載のアプリケーション統合管理システム
。
【請求項８】
前記統合サービス制御部が、統合サービスを開始するときに、この統合サービスに参加
するクライアントのユーザに関する情報と、この統合サービスで使用するアプリケーショ
ンに関する情報と、利用時間に関する情報を記録するセッション情報管理装置と、
前記ユーザに関する情報に対応して、課金情報を演算する課金情報管理装置と、を備え
たことを特徴とする請求項１に記載のアプリケーション統合管理システム。
【請求項９】
前記課金情報管理装置を、前記セッション情報管理装置及び管理装置と同一のネットワ
ークに配置したことを特徴とする請求項８に記載のアプリケーション統合管理システム。
【請求項１０】
前記課金情報管理装置を、外部ネットワークを介して前記セッション情報管理装置及び
管理装と接続したことを特徴とする請求項８に記載のアプリケーション統合管理システム
。
【請求項１１】
複数のアプリケーションを連携させて複数のクライアント間でリアルタイムで情報交換
を行う統合サービスを提供するサーバ装置であって、
前記クライアントから、参加するクライアントと使用するアプリケーションを含む統合
サービスの開始要求を受信すると、前記複数のアプリケーションを提供するアプリケーシ
ョンサーバに対して、使用するアプリケーション毎に参加するクライアントへのサービス
開始を指令する統合サービス開始部と、
前記サービス開始指令に対応するアプリケーションサーバからの応答に基づいて、統合
サービスの提供を制御する統合サービス制御部と、を備えたことを特徴とするサーバ装置
。
【請求項１２】
前記アプリケーションは、統合サービスに必須のサービスを提供する必須アプリケーシ
ョンと、統合サービスで選択的に使用可能な任意のサービスを提供する任意アプリケーシ
ョンとから構成され、
前記統合サービス制御部は、前記統合サービスに必須のサービスに対応する必須アプリ
ケーションを提供するアプリケーションサーバからエラーを示す情報を受信したときには
、統合サービスの提供を中止することを特徴とする請求項１１に記載のサーバ装置。
【請求項１３】
前記統合サービス制御部は、前記クライアントから受信した使用アプリケーションのう
ち、任意アプリケーションを提供するアプリケーションサーバからエラーを示す情報を受
信したときには、この任意アプリケーションのサービスを統合サービスから除外すること
を特徴とする請求項１２に記載のサーバ装置。
【請求項１４】
複数のアプリケーションから受けるサービスを連携して他のクライアントとリアルタイ
ムで情報交換を行うプログラムであって、
前記情報交換で使用するアプリケーションと、情報交換を行うクライアントをそれぞれ
選択する手段と、
これら選択したアプリケーション及びクライアントとの情報交換の開始要求を送信する
手段と、
前記選択したアプリケーションからの応答を受信する手順と、
前記選択したアプリケーションからの応答を全て受信したか否かを判定する手順と、
この判定結果に基づいて、情報交換の開始の可否を判定する手順と、
をコンピュータに機能させることを特徴とするプログラム。
【請求項１５】
前記情報交換の開始の可否を判定する手順は、選択したアプリケーションからの応答を
全て受信したときに、情報交換の開始を判定することを特徴とするプログラム。
【請求項１６】
前記情報交換の開始の可否を判定する手順は、選択したアプリケーションの応答のうち
、少なくとも一つからの応答が受信できない場合には、情報交換の中止を判定することを
特徴とするプログラム。